(57)【要約】【課題】インクリボンカートリッジの通常時の脱着が容易であり、かつリボン巻き取り軸がリボン巻き取りローラを押し出すような力が作用しても、簡単にカートリッジ支持部から離脱、脱落することがない記録装置を提供する。【解決手段】キャリッジに搭載された記録ヘッドに複数の記録ワイヤを備え、これらの記録ワイヤの突出動作により、インクリボンカートリッジ２９からのインクリボンを介して、記録媒体に画像を記録する記録装置において、インクリボンカートリッジ２９には、該インクリボンカートリッジ２９の支持部２６に向けてスライド移動し、該支持部の係止孔２６ａに係合可能な係合片６１を備えた。【選択図】図８
2008238423.tif 000002
【特許請求の範囲】
【請求項１】
キャリッジに搭載された記録ヘッドに複数の記録ワイヤを備え、これらの記録ワイヤの突出動作により、インクリボンカートリッジからのインクリボンを介して、記録媒体に画像を記録する記録装置において、
前記インクリボンカートリッジには、該インクリボンカートリッジの支持部に向けて移動し、該支持部に係合可能な係合片を備えたことを特徴とする記録装置。
【請求項２】
前記係合片が、スライド移動して、該インクリボンカートリッジの支持部に係合することを特徴とする請求項１に記載の記録装置。
【請求項３】
前記インクリボンカートリッジの係合片が、ばね付勢されて、該係合片の先端が、該インクリボンカートリッジの側縁から外方に突出し、支持部への装着時には、係合片の先端を、ばね力に抗して、該側縁から内方に押し縮めて装着し、装着した後には、ばね力により、係合片の先端が側縁の外方に突出し、該インクリボンカートリッジの支持部に係合することを特徴とする請求項２に記載の記録装置。
【請求項４】
前記支持部が、サイドフレームに形成した嵌合孔であることを特徴とする請求項１乃至３のいずれか一項に記載の記録装置。
【発明の詳細な説明】
【技術分野】
【０００１】
本発明は、インクリボンカートリッジのカートリッジ支持部からの離脱、脱落を阻止する機構を備えた記録装置に関する。
【背景技術】
【０００２】
一般に、キャリッジに搭載された記録ヘッドに、複数の記録ワイヤを備え、これらの記録ワイヤの突出動作により、インクリボンを介して、記録媒体に画像を記録するドットインパクトプリンタが知られている。この種の従来のドットインパクトプリンタでは、インクリボンカートリッジに設けられたリボン巻き取りローラに、リボン巻き取り軸を嵌合し、該リボン巻き取り軸を駆動させて、リボン巻き取りローラにより、インクリボンを巻き取りつつ、該インクリボンを介して記録ワイヤを、記録媒体に打ち付けて画像を記録するのが一般的である（例えば、特許文献１参照）。
【０００３】
上記構成において、インクリボンカートリッジには、一対のサイドフレーム間に固定的に設けたステーショナリー形式のインクリボンカートリッジと、キャリッジに搭載したオンキャリッジ形式のインクリボンカートリッジとがある。いずれのインクリボンカートリッジも、サイドフレーム、或いはキャリッジからなるカートリッジ支持部に対し、インクリボンカートリッジを着脱自在に支持している。
【特許文献１】特開２００４−３３０５１６
【発明の開示】
【発明が解決しようとする課題】
【０００４】
しかし、従来の構成では、インクリボンカートリッジの通常時の脱着容易性を優先的に考慮し、カートリッジ支持部に対するインクリボンカートリッジの支持構造が、例えば弱いばね力による簡易な支持構成となっている。
この場合に、例えば上述したリボン巻き取り構造において、リボンロックや紙ジャム等の発生により、リボン巻き取り軸が、リボン巻き取りローラを押し出すと、上記支持構成部のばね力に抗して、インクリボンカートリッジが支持部から脱落する恐れがある。これが脱落すると、プリンタの他の機器に悪影響を与える。
【０００５】
そこで、本発明の目的は、上述した従来の技術が有する課題を解消し、インクリボンカートリッジの通常時の脱着が容易であり、かつリボン巻き取り軸がリボン巻き取りローラを押し出すような力が作用しても、簡単にカートリッジ支持部から脱落することがない記録装置を提供することにある。
【課題を解決するための手段】
【０００６】
本発明は、キャリッジに搭載された記録ヘッドに複数の記録ワイヤを備え、これらの記録ワイヤの突出動作により、インクリボンカートリッジからのインクリボンを介して、記録媒体に画像を記録する記録装置において、前記インクリボンカートリッジには、該インクリボンカートリッジの支持部に向けて移動し、該支持部に係合可能な係合片を備えたことを特徴とする。
また、前記係合片が、スライド移動して、該インクリボンカートリッジの支持部に係合するようにしてもよい。
これら発明では、インクリボンカートリッジに、該カートリッジの支持部に向けて移動し、該支持部に係合可能な係合片を備えたため、例えば、リボン巻き取り軸にリボン巻き取りローラを押し出すような過度の荷重が作用した場合であっても、該支持部からのリボンカートリッジの離脱、脱落が阻止される。
【０００７】
この場合において、前記インクリボンカートリッジの係合片が、ばね付勢されて、該係合片の先端が、該インクリボンカートリッジの側縁から外方に突出し、支持部への装着時には、係合片の先端を、ばね力に抗して、該側縁から内方に押し縮めて装着し、支持部に装着した後には、ばね力により、係合片の先端が側縁の外方に突出して、該インクリボンカートリッジの支持部に係合するようにしてもよい。
また、前記支持部が、サイドフレームに形成した嵌合孔であってもよい。
本構成では、支持部への装着時に、係合片の先端を、ばね力に抗して、該側縁から内方に押し縮めて装着し、装着後には、ばね力により、係合片の先端が側縁の外方に突出して、該インクリボンカートリッジの支持部に係合するため、インクリボンカートリッジの通常時の脱着が容易であり、かつリボン巻き取り軸がリボン巻き取りローラを押し出すような力が作用しても、カートリッジの離脱、脱落が阻止される。
【発明の効果】
【０００８】
本発明では、インクリボンカートリッジに、該カートリッジの支持部に向けてスライド移動し、該支持部に係合可能な係合片を備えたため、例えば、リボン巻き取り軸に、リボン巻き取りローラを押し出すような過度の荷重が作用した場合であっても、該支持部からのリボンカートリッジの離脱、脱落が阻止される。
また、支持部への装着時に、係合片の先端を、ばね力に抗して、該側縁から内方に押し縮めて装着し、装着後には、ばね力により、係合片の先端が側縁の外方に突出して、該インクリボンカートリッジの支持部に係合するように形成すれば、インクリボンカートリッジの通常時の脱着が容易であり、かつリボン巻き取り軸がリボン巻き取りローラを押し出すような力が作用しても、カートリッジの離脱、脱落が阻止される。
【発明を実施するための最良の形態】
【０００９】
以下、図面を参照して本発明の一実施の形態を説明する。
図１は、本発明の記録装置の実施形態に係るプリンタ１０の前方の外観を示す斜視図であり、図２は、プリンタ１０の側断面図であり、図３及び図４は、このプリンタ１０のフレーム構成を示す斜視図である。
このプリンタ１０は、複数の記録ワイヤを選択的に打ち出す記録ヘッド２０と、この記録ヘッド２０が搭載されるキャリッジ２１とを備え、記録ヘッド２０から打ち出された記録ワイヤを記録媒体（以下、シートという。）に打ち付けることによって文字を含む画像を記録するシリアルドットインパクトプリンタである。図２に示すように、このプリンタ１０は、大別すると、記録ユニットを構成するプリンタ本体１２と、トラクタユニット１３と、シートガイド１４とを備え、これらの上方、下方が、図１に示すように、アッパケース１５およびロアケース１６で覆われる構成となっている。上記シートには、所定長さに裁断されたカットシートと、複数枚が連結された連続シートとがある。カットシートとしては、例えば単票紙、複写紙、通帳またはカットフィルムなどがあり、連続シートとしては連続紙がある。
【００１０】
プリンタ本体１２は、記録機構部としての記録ヘッド２０、キャリッジ２１及びプラテン２２と、シート搬送機構部としての複数の搬送ローラ２３とを備えている。詳述すると、プリンタ本体１２は、図３及び図４に示すように、一対のサイドフレーム２５、２６の間に、背面フレーム２７、プラテン２２、キャリッジ軸２８、複数のローラ軸２３ａ、トラクタユニット１３などが架け渡され、キャリッジ軸２８にはキャリッジ２１が、各ローラ軸２３ａには搬送ローラ２３が設けられている。
【００１１】
上記搬送ローラ２３は、プラテン２２に対してプリンタ本体１２の前方及び後方に、上下に対に配置されており（一部の搬送ローラ２３は不図示）、図示しないシート搬送モータと、該モータに連結され、右サイドフレーム２６の外側に配列された駆動輪列部４１とによって、図２の時計方向又は反時計方向に回転駆動される。これによって、シートを、プリンタ本体１２の前方（シートガイド１４側）から後方へ搬送し、また、プリンタ本体１２の後方から前方へ搬送することができ、シートは、キャリッジ２１の主走査方向と直交する副走査方向に搬送される。
【００１２】
上記キャリッジ２１は、キャリッジ軸２８に摺動自在に挿通されると共に、記録ヘッド２０を搭載し、図示しないステッピングモータにて構成されるキャリッジ駆動モータにより駆動されるタイミングベルト４３（図３参照）に結合される。
これにより、上記キャリッジ２１は、キャリッジ駆動モータの正転又は逆転により、タイミングベルト４３を介しキャリッジ軸２８に案内されて、上記キャリッジ軸２８の軸方向及びプラテン２２の長手方向と一致する主走査方向に走行（走査）される。上記記録ヘッド２０は、多数の記録ワイヤ（不図示）を備え、これら記録ワイヤをプラテン２２に向けて打ち出す。
【００１３】
このプリンタ本体１２には、図５に示すように、ステーショナリー形式のインクリボンカートリッジ２９が着脱自在に装着され、このインクリボンカートリッジ２９のインクリボンが記録ヘッド２０とプラテン２２との間に繰り出される。
これにより、記録ヘッド２０は、キャリッジ２１と共に主走査方向に走行される間に、これら記録ワイヤを突出させてインクリボンに打ち当て、このインクリボンのインクを、プラテン２２と記録ヘッド２０との間に搬送されたシートに付着し、該シートに文字を含む画像を記録する。なお、キャリッジ２１には、図３にも示すように、リボンマスクホルダ５１が設置され、リボンマスクホルダ５１はインクリボンカートリッジ２９内のインクリボンから、プラテン２０の上面に接して搬送されるシート（カットシートまたは連続シート）を保護している。
【００１４】
トラクタユニット１３は、連続シートをシート搬送機構部へ供給するものであり、図４に示すように、左右一対のトラクタ３０を有する。
各トラクタ３０は、図２に示すように、トラクタ駆動プーリ３０ａと、トラクタ従動プーリ３０ｂと、これらプーリ３０ａ，３０ｂに巻き掛けられたトラクタベルト３１とを備え、図示せぬ駆動機構によってトラクタ駆動プーリ３０ａを回転駆動し、トラクタベルト３１を駆動して連続シートを搬送する。
【００１５】
記録ヘッド２０による記録動作は、記録ヘッド２０がキャリッジ２１により主走査方向に移動される間に、記録ヘッド２０からの記録ワイヤの打ち出しにより一行分の記録がなされ、この一行分の記録がなされる度に、シート搬送機構部としての搬送ローラ２３（およびトラクタユニット１３）が連続シートを所定長搬送させ、これらの動作が繰り返されて実施される。
【００１６】
つぎにインクリボンの巻き取り機構を説明する。
図６は、インクリボンカートリッジ２９に収納されたインクリボンの巻き取り部の構成を示す。このリボン巻き取り部では、インクリボンカートリッジ２９に設けたリボン巻き取りローラ４５に、上記背面フレーム２７に取り付けたリボン巻き取り軸４７を嵌合し、該リボン巻き取り軸４７を回転駆動することにより、リボン巻き取りローラ４５を回転し、これによりインクリボンを巻き取る。リボン巻き取り軸４７は、図示を省略したリボンドライブ機構により駆動される。このリボンドライブ機構は、図示は省略したが、上記キャリッジ２１の往復移動時の動力を用いて駆動され、遊星歯車機構等を用いて、該キャリッジ２１の移動方向両方向においてリボン巻き取り軸４７を駆動し、これに嵌合したリボン巻き取りローラ４５によりインクリボンを巻き取る。
【００１７】
つぎにインクリボンカートリッジ２９の脱落阻止構造を説明する。
一般にインクリボンカートリッジ２９は、左右サイドフレーム２５，２６（支持部）への装着時において、上述したように、リボン巻き取り軸４７にリボン巻き取りローラ４５を嵌合すると共に、図６に示すように、左右サイドフレーム２５，２６の内面に設けた各ピン部材１２６に対し、インクリボンカートリッジ２９の両側端部のばね部１２９を弱いばね力で係止させる。この係止力を弱いばね力としたのはインクリボンカートリッジ２９の脱着の容易性を配慮したためである。
【００１８】
本実施の形態では、上記インクリボンカートリッジ２９の表面の両端に、図５に示すように、表面をスライド自在に一対の係合片６１，６１が設けられている。該係合片６１は、図７に示すように、スライド部６２と、該スライド部６２に連なって垂直に立ち上がるつまみ部６３とを備え、スライド部６２およびつまみ部６３に取り付けられて延びた弾性体６４の一端のばね部６５が、インクリボンカートリッジ２９の表面に設けられて、つまみ部６３と平行に立ち上がるストッパ６６の基部に係止されている。そして、一対の係合片６１は、ばね部６５により付勢され、該係合片６１の先端６１ａがインクリボンカートリッジ２９の側縁２９ａの外方に突出し、図８に示すように、左右サイドフレーム２５，２６に設けた係止孔（支持部）２５ａ，２６ａに係止されている。
【００１９】
インクリボンカートリッジ２９の装着前の状態では、係合片６１が、ばね部６５のばね力により付勢されて、該係合片６１の先端６１ａがインクリボンカートリッジ２９の側縁２９ａから外方に突出している。
そして、インクリボンカートリッジ２９の装着時には、つまみ部６３とストッパ６６をつまんで、一組の矢印Ｘで示す方向につまみ力を加え、係合片６１の先端６１ａをばね部６５のばね力に抗して該側縁２９ａから内方に押し縮める。この作業は、図５を参照し、ユーザが両手で行う。ついで、インクリボンカートリッジ２９を所定の装着位置に装着した後に、両手を離すと、係合片６１のばね部６５のばね力により該係合片６１の先端が側縁２９ａの外方に突出し、図８に示すように、左右サイドフレーム２５，２６に設けた係止孔２５ａ，２６ａに係止する。
【００２０】
本実施の形態では、インクリボンカートリッジ２９の装着時に係合片６１をスライドして該係合片６１の先端を左右サイドフレーム２５，２６の係止孔２５ａ，２６ａ（支持部）に係止するため、いわゆるリボンロックや紙ジャム等の発生により、リボン巻き取り軸４７にリボン巻き取りローラ４５を押し出すような過度の荷重が作用したとしても、この押し出し力が係合片６１で阻止されて、インクリボンカートリッジ２９の左右サイドフレーム２５，２６からの脱落が防止される。
【００２１】
上述した実施の形態は、あくまでも本発明の一態様にすぎず、本発明の範囲内で任意に変形可能である。例えば係合片６１を左右サイドフレーム２５，２６の係止孔２５ａ，２６ａに係止したが、これに限定されず、別のフレームに係止させてもよいことは言うまでもない。また、係合片６１をスライド移動させているが、これに限定せず、係合片を例えば回動させることにより支持部に係合させて脱落を阻止するようにしてもよい。さらに、ステーショナリー形式のインクリボンカートリッジ２９で説明したが、これに限定せず、上記各実施の形態は、オンキャリッジ形式のインクリボンカートリッジにも適用が可能である。この場合、インクリボンカートリッジの支持部がキャリッジになり、係合片はキャリッジに係合する。
【図面の簡単な説明】
【００２２】
【図１】本発明に係る記録装置の一実施の形態が適用されたドットインパクトプリンタを示す斜視図である。
【図２】図１の記録ヘッドおよびキャリッジ等を示す側面図である。
【図３】インクリボンカートリッジを外したフレーム構成を示す斜視図である。
【図４】図３のフレーム構成をトラクタユニット側から見て示す斜視図である。
【図５】インクリボンカートリッジを装着した状態を示す斜視図である。
【図６】リボンドライブ機構を示す断面図である。
【図７】インクリボンカートリッジの係合片を示す断面図である。
【図８】インクリボンカートリッジの係合片を示す斜視図である。
【符号の説明】
【００２３】
１０  プリンタ（記録装置）
２０  記録ヘッド
２１  キャリッジ
２５，２６  サイドフレーム
２５ａ，２６ａ  係止孔
２９  インクリボンカートリッジ
６１  係合片
６２  スライド部
６３  つまみ部
６５  ばね部
【図１】
2008238423.tif 000003
【図２】
2008238423.tif 000004
【図３】
2008238423.tif 000005
【図４】
2008238423.tif 000006
【図５】
2008238423.tif 000007
【図６】
2008238423.tif 000008
【図７】
2008238423.tif 000009
【図８】
2008238423.tif 000010